(57)【要約】【課題】吸収体におけるラッピングシートの体液透過性が改良された使い捨てのパンツ型おむつの提供。【解決手段】使い捨てのパンツ型おむつにおける股下部材２が吸収体４０を含んでいる。吸収体４０は、粉砕パルプと高吸水性ポリマー粒子とを含む吸水性材料の集合体である芯材４１をラッピングシート４２で被覆することによって形成され、芯材４１は、その外面４１ｂの全体がホットメルト接着剤ＨＡを介してラッピングシート４２に接合する。芯材４１の内面４１ａは、ラッピングシート４２に対する接合域と非接合域とを有する。接合域は芯材４１の幅方向の中央部に形成され、非接合域の両側に形成されている。【選択図】図３
2016034595.tif 000002
【特許請求の範囲】
【請求項１】
前胴回り部と後胴回り部と股下部とのうちの少なくとも前記前胴回り部と前記後胴回り部とを形成していて環状を呈することが可能な胴回り被覆部材と、前記前胴回り部と前記後胴回り部との間に延びていて前記胴回り被覆部材の内面に接合する前端部分と後端部分とを有するとともに体液吸収性の吸収体を含んでいて前記股下部を形成する股下部材とを備えた使い捨てのパンツ型おむつであって、
前記股下部材は、前記前端部分と前記後端部分との間に延びる長さ方向と、前記長さ方向に直交する幅方向とを有し、前記吸収体が少なくとも粉砕パルプと高吸水性ポリマー粒子とを含む吸水性材料の集合体である芯材を透水性のラッピングシートで被覆することにより形成されており、
前記集合体は、前記胴回り被覆部材の前記内面と向かい合う外面の全体がホットメルト接着剤を介して前記ラッピングシートに接合する一方、前記外面の反対面である前記集合体の内面は前記ラッピングシートに対する接合域と非接合域とを有し、前記接合域は前記集合体における前記幅方向の中央部分において前記長さ方向へ延びており、前記非接合域は、前記幅方向において前記接合域の両側に位置していることを特徴とする前記おむつ。
【請求項２】
前記ラッピングシートは、前記集合体の前記外面を被覆している前記ラッピングシートが前記集合体から前記幅方向へ延出する部分を折り返すことによって前記集合体の前記内面を被覆しているものであって、前記内面における前記中央部分において、折り返した前記ラッピングシートどうしが重なり合い、ホットメルト接着剤を介して互いに接合している請求項１記載のおむつ。
【請求項３】
前記集合体は、平面形状が砂時計型のものであって、前記前端部分と前記後端部分とには前記幅方向の両側に広がる翼部が形成され、前記翼部における前記内面が前記非接合域の一部分を形成している請求項１または２記載のおむつ。
【請求項４】
前記吸収体では、前記幅方向において対向して前記長さ方向へ延びていて、前記内面から前記外面に向かって深くなる少なくとも一対の圧搾条溝が形成され、前記圧搾条溝が前記接合域に位置している請求項１−３のいずれかに記載のおむつ。
【発明の詳細な説明】
【技術分野】
【０００１】
この発明は、使い捨てのパンツ型おむつに関し、より詳しくは吸収体の芯材が粉砕パルプと高吸水性ポリマー粒子とを含む使い捨てのパンツ型おむつに関する。
【背景技術】
【０００２】
従来、使い捨てのパンツ型おむつは周知であり、吸収体の芯材が粉砕パルプと高吸水性ポリマー粒子とを含む使い捨てのパンツ型おむつも周知である。
【０００３】
例えば、特開２００１−１２０５９４号公報（特許文献１）に記載された使いすておむつは、吸収体の型くずれの防止を課題とするものであって、そのおむつの一例では、吸収体が薄葉紙に包まれていて、吸収体と薄葉紙とが接着剤により固定されている。吸収体は、薄葉紙を介しておむつ着用者の肌と向かい合う内面の全体に塗布された接着剤を介して薄葉紙に固定されている．吸収体の外面は接着剤が塗布されておらず、薄葉紙に対して非接合状態にある。吸収体は綿状パルプや高吸水性高分子物質等で形成されている。
【先行技術文献】
【特許文献】
【０００４】
【特許文献１】特開２００１−１２０５９４号公報
【発明の概要】
【発明が解決しようとする課題】
【０００５】
パルプや高吸水性ポリマー等の吸水性材料の集合体を薄葉紙等のラッピングシートで被覆することにより形成されている吸収体では、その集合体の内外面のうちでおむつ着用者の肌と向かい合う側に位置する内面が、その全体に塗布された接着剤を介してラッピングシートに接合されると、ラッピングシートに対する体液の速やかな透過の妨げになったり、それに伴って吸水性材料の集合体による体液の速やかな吸収の妨げになったりするということがある。
【０００６】
この発明では、吸水性材料の集合体を透水性のラッピングシートで被覆することにより形成されている吸収体で生じるそのような問題を解消することが可能な使い捨てのパンツ型おむつの提供を改題にしている。
【課題を解決するための手段】
【０００７】
前記課題を解決するためにこの発明が対象とするのは、前胴回り部と後胴回り部と股下部とのうちの少なくとも前記前胴回り部と前記後胴回り部とを形成していて環状を呈することが可能な胴回り被覆部材と、前記前胴回り部と前記後胴回り部との間に延びていて前記胴回り被覆部材の内面に接合する前端部分と後端部分とを有するとともに体液吸収性の吸収体を含んでいて前記股下部を形成する股下部材とを備えた使い捨てのパンツ型おむつである。
【０００８】
このおむつにおいて、本発明が特徴とするところは、以下のとおりである。前記股下部材は、前記前端部と前記後端部との間に延びる長さ方向と、前記長さ方向に直交する幅方向とを有し、前記吸収体が少なくとも粉砕パルプと高吸水性ポリマー粒子とを含む吸水性材料の集合体である芯材を透水性のラッピングシートで被覆することにより形成されている。前記集合体は、前記胴回り被覆部材の前記内面と向かい合う外面の全体がホットメルト接着剤を介して前記ラッピングシートに接合する一方、前記外面の反対面である前記集合体の内面は前記ラッピングシートに対する接合域と非接合域とを有し、前記接合域は前記集合体における前記幅方向の中央部分において前記長さ方向へ延びており、前記非接合域は、前記幅方向において前記接合域の両側に位置している。
【発明の効果】
【０００９】
この発明に係るパンツ型の使い捨ておむつでは、体液吸収性の芯材の外面がラッピングシートに接合され、芯材の内面にはラッピングシートに対する非接合域が形成されるから、その非接合域においてはラッピングシートを介しての体液の速やかな吸収が可能になる。
【図面の簡単な説明】
【００１０】
【図１】使い捨てのパンツ型おむつの斜視図。
【図２】図１のおむつから得られた伸展おむつの部分破断斜視図。
【図３】図２の線Ｓ３に沿う切断面を示す図。
【図４】図２の線Ｓ２に沿う切断面を示す図。
【図５】図２の線Ｓ１に沿う切断面を示す図。
【図６】図２の線Ｓ０に沿う切断面を示す図。
【図７】体液吸収部の作成手順を示す図。
【図８】実施態様の一例を示す体液吸収部の部分破断平面図。
【図９】図８のＩＸ−ＩＸ線に沿う切断面を示す図。
【発明を実施するための形態】
【００１１】
添付の図面を参照して、この発明に係る使い捨てのパンツ型おむつの詳細を説明すると、以下のとおりである。
【００１２】
図１は、この発明の実施態様の一例として示す大人用の使い捨てのパンツ型おむつ１０の斜視図である。おむつ１０は、男性の失禁患者が着用するのに好適なもので、パンツ型に作られた胴回り被覆部材１と、胴回り被覆部材１に取り付けられていて体液吸収性を有する股下部材２（図２参照）とを有する。胴回り被覆部材１は、パンツ型着用物品における前胴回り部と後胴回り部と股下部とのうちの少なくとも前胴回り部と後胴回り部とを有していればよいものであるが、図には、前胴回り部３と、後胴回り部４と、股下部５とを有する例が示されている。前胴回り部３と後胴回り部４とは、前胴回り部３の側縁７と後胴回り部４の側縁８とが合掌状に重なり合い、超音波処理によって形成された複数の部位９において接合することによって、おむつ１０の着用時に環状を呈することが可能な胴回り部１１を形成している。おむつ１０にはまた、胴回り開口１２と一対の脚回り開口１３とが形成されている。胴回り開口１２は、前胴回り部３の頂縁部３ａと、後胴回り部４の頂縁部４ａとによって画定されている。胴回り被覆部材１は、前胴回り部３と股下部５の一部分とに広がる前方外装シート１６と、後胴回り部４と股下部５の一部とに広がる後方外装シート１７と、股下部５に広がる中央外装シート１８とを有している。図には、おむつ１０の横方向と上下方向と前後方向とがＸ，Ｙ，Ｚで示されている。
【００１３】
図２は、図１のおむつ１０において前胴回り部３と後胴回り部４とが接合する部位９の接合を解いておむつ１０を平面状に伸展することによって得られる伸展おむつ２０についての内面側を示す部分破断斜視図である。伸展おむつ２０についての内面側とは、おむつ１０の内面側でもある。
【００１４】
伸展おむつ２０において明らかなように、胴回り被覆部材１は砂時計型に形成されていて前胴回り部３と後胴回り部４と股下部５とに広がる中央外装シート１８と、おむつ１０の外側から中央外装シート１８に接合している前方外装シート１６と、同じように外側から中央外装シート１８に接合している後方外装シート１７とを有する（図１参照）。前方外装シート１６と中央外装シート１８との間には、横方向Ｘへ伸長状態で延びる複数条の前方胴回り弾性部材２１が介在している。後方外装シート１７と中央外装シート１８との間には、横方向Ｘへ伸長状態で延びる複数条の後方胴回り弾性部材２２が介在している。また、後方外装シート１７と中央外装シート１８との間には、前胴回り部３に向かって凸となる曲線を画いて横方向Ｘへ延びる複数条の脚回り弾性部材２３が少なくとも部分的に伸長された状態で介在している。なお、おむつ１０において、前方外装シート１６と後方外装シート１７とは、それらの一部分が前胴回り部３の頂縁部３ａと後胴回り部４の頂縁部４ａとにおいておむつ１０の内面側に折り返されているものであるが、図２においては、その折り返されている部分１６ａ，１７ａが仮想線で示され、折り返される前の状態にある部分１６ａ，１７ａが実線で示されている。
【００１５】
また、伸展おむつ２０において明らかなように、股下部材２は、胴回り被覆部材１の股下部５から前胴回り部３と後胴回り部４とにまで延びていて、一部分が前胴回り部３に接合している前端部２６と、一部分が後胴回り部４に接合している後端部２７と、一部分が股下部５に接合している中間部２８とを有する。股下部材２はまた、平面形状が矩形に形成されている体液吸収部３１と、横方向Ｘにおいて体液吸収部３１の両側に形成されている一対の防漏カフ部３２とを有する。ただし、図２において、防漏カフ部３２の一方は実線で示されているが、もう一方は仮想線で示されている。おむつ１０および伸展おむつ２０において、股下部５というときには、横方向Ｘの両側に位置する縁部が脚回り開口３を画定している部位を意味する。前胴回り部３と後胴回り部４とは、図１において脚回り開口１３よりも上方に位置している部位を意味する。
【００１６】
防漏カフ部３２は、体液吸収部３１に対して接合し、固定されている近位縁部３３と、股下部５において体液吸収部３１に対して接合しておらず、離間可能な状態にある遠位縁部３４とを有し、遠位縁部３４には一条または複数条の弾性部材３６が伸長状態で取り付けられている。かかる遠位縁部３４は、体液吸収部３１の前端部２６と後端部２７とに対して接合し、固定されている。このように形成されている防漏カフ部３２は、当該技術分野において慣用のものであって、おむつ１０が図１の状態にあるときには、弾性部材３６が収縮することによって、おむつ１０の少なくとも股下部５においては遠位縁部３４が体液吸収部３１からおむつ１０の上方に向かって離間し、防漏カフ部３２のそれぞれが体液吸収部３１に対して起立した状態になる。
【００１７】
図３，４，５は、図２の伸展おむつ２０における股下部材２の切断面を示す図であって、図３はその股下部材２の線Ｓ３に沿う切断面を示し、図４はその股下部材２の線Ｓ２，Ｓ４に沿う切断面を示し、図５はその股下部材２の線Ｓ１，Ｓ５に沿う切断面を示している。
【００１８】
図３において、線Ｓ３は図２の伸展おむつ２０における前後方向の寸法を二等分する中心線Ｑに一致している。股下部材２における体液吸収部３１は、少なくとも粉砕パルプと高吸水性ポリマー粒子とを含む吸水性材料の集合体である芯材４１および芯材４１を被覆する透水性のラッピングシート４２によって形成される吸収体４０と、ラッピングシート４２を介して芯材４１の内面側を被覆している透水性の表面シート４３と、ラッピングシート４２を介して芯材４１の外面側を被覆している不透水性の裏面シート４４とを有する。芯材４１は、胴回り被覆部材１の内面４１ａである中央外装シート１８と向かい合っている外面４１ｂの全体がホットメルト接着剤ＨＡを介してラッピングシート４２に接合する接合域になっている。また、芯材４１は外面４１ｂの反対面である内面４１ａが中心線Ｐの上と中心線Ｐの両側部分においてもラッピングシート４２に接合する接合域となり、芯材４１の両側部分４６がラッピングシート４２に対する非接合域になっている。芯材４１は、それが軽失禁用のものであってパルプと高吸水性ポリマー粒子とで形成される場合、単位面積当たりの質量が３００−６００ｇ／ｍ２の範囲にあって、パルプの量が６０−４０重量％の範囲にあり、高吸水性ポリマー粒子の量が４０−６０重量％の範囲にあることが好ましい。具体的な一例として、３００ｇ／ｍ２のパルプと２００ｇ／ｍ２の高吸水性ポリマー粒子とが、均一に混合された状態や互いに重なり合った層を形成した状態で使用することができる他に、芯材４１の横方向Ｘや前後方向Ｚにおいて高吸水性ポリマー粒子の分布量が異なる状態で使用することもできる。高吸水性ポリマー粒子には、当該技術分野において慣用のもの、例えばデンプン−アクリロニトリル共重合体の加水分解物等を使用することができる。芯材４１はまた、吸水性材料を空気流を利用して混合し所要形状の型の内部に堆積させることによって成形したものを使用することができる他に、堆積させたものに散水してからそれを加圧圧縮して使用することもできる。
【００１９】
ラッピングシート４２には、ティッシュペーパや透水性の不織布等を使用することができる。ラッピングシート４２は、芯材４１の外面４１ｂに対してホットメルト接着剤ＨＡを介して接合した状態にあって、その芯材４１から側方へ延出する部分が芯材４１に巻き付けられて芯材４１の内面４１ａを覆い、股下部材２の横方向の寸法を二等分している中心線Ｐの両側においてラッピングシート４２の側部４２ａ，４２ｂどうしが重なり合い、ホットメルト接着剤ＨＡを介して互いに接合するとともに芯材４１に対しても接合している。芯材４１がホットメルト接着剤ＨＡを介してラッピングシート４２に接合している部位は、吸水性材料の集合体のラッピングシート４２に対する接合域である。
【００２０】
好ましい芯材４１では、重なり合う側部４２ａ，４２ｂが透水性のカバーシート４５によって覆われていて、側部４２ａと４２ｂとの間から吸水性材料の漏れ出ることを防止している。そのカバーシート４５は、ホットメルト接着剤ＨＡを介してラッピングシート４２に接合している。
【００２１】
このような芯材４１とラッピングシート４２とは、芯材４１の両側部分４６において互いに密着してはいるが、非接合状態にある。また、横方向Ｘにおいて芯材４１の外側に位置して重なり合うラッピングシート４２どうしは、ホットメルト接着剤ＨＡを介して互いに接合している。したがって、芯材４１は、その外面４１ｂの全体がラッピングシート４２に対して固定されるとともに、内面４１ａは中心線Ｐの両側部分のみがラッピングシート４２に固定されているが、両側部分４６における内面４１ａはホットメルト接着剤によって覆われることがない。したがって、両側部分４６の内面４１ａでは、ラッピングシート４２を介しての体液の吸収がホットメルト接着剤によって妨げられることがなく、また、内面４１ａを形成している粉砕パルプや高吸水性ポリマー粒子の動き、例えば高吸水性ポリマー粒子が膨潤しようとする動きはホットメルト接着剤の存在によって妨げられるということがない。このように高吸水性ポリマー粒子がその周囲によって妨げられることなく自由に膨潤することができる吸収体４０は、体液の吸収速度が速く、単位時間当たりの吸収量が多いものになり得る。
【００２２】
表面シート４３と裏面シート４４とにおいて、表面シート４３は、熱可塑性合成繊維を使用した不織布や開孔プラスチックフィルムで形成されている。裏面シート４４は、プラスチックフィルム、より好ましくは通気透液性のプラスチックフィルムによって形成されている。表面シート４３と裏面シート４４とは、互いに重なり合う部分においてホットメルト接着剤（図示せず）を介して接合している。表面シート４３は、スパイラル状やドット状、ストライプ状等の適宜の塗布状態にあるホットメルト接着剤（図示せず）を介してラッピングシート４２に接合することができる。
【００２３】
防漏カフ部３２は、近位縁部３３がホットメルト接着剤（図示せず）を介して体液吸収部３１における表面シート４３と裏面シート４４とに接合している。弾性部材３６が取り付けられている遠位縁部３４は、図２において表面シート４３に重なるように倒伏した状態にあるものであるが、図３では遠位縁部３４を明示するために、表面シート４３から離間した状態で示されている。おむつ１０が図１の状態にあるときには、体液吸収部３１における前端部２６と後端部２７との間において弾性部材３６が収縮することによって、遠位縁部３４は仮想線で示されるように体液吸収部３１に対して起立した状態になり、体液の横漏れを防止するカフとしての機能を発揮する。
【００２４】
図４は、体液吸収部３１のうちで、胴回り被覆部材１における前胴回り部３と後胴回り部４とのそれぞれに重なっている前端部２６と後端部２７のそれぞれを横断する線Ｓ２，Ｓ４に沿う切断面を示す図であるが、線Ｓ２に沿う切断面と線Ｓ４沿う切断面とは、実質的な意味において同じである。また、図４における切断面と図３における切断面とを比較すると、矩形の体液吸収部３１の横方向Ｘの寸法、即ち幅は同じであるが、図４では芯材４１が体液吸収部３１の幅全体に広がっていて、芯材４１の外側にはラッピングシート４２どうしの重なり合う部分がない。すなわち、図４の芯材４１は、その幅が図３のそれよりも大きく、それに伴って、ラッピングシート４２に対して非接合状態にある芯材４１の両側部分４６は、図３における両側部分４６よりも横方向Ｘにおける寸法が大きくなっている。防漏カフ部３２の体液吸収部３１に対する取り付け状態は、図３のそれと同じである。なお、裏面シート４４に接合している中央外装シート１８には、おむつ１０の外側から前方外装シート１６または後方外装シート１７がホットメルト接着剤（図示せず）を介して接合している。
【００２５】
図５は、体液吸収部３１の前端部２６と後端部２７とのうちで、芯材４１を含むことのない部位を横断している線Ｓ１とＳ５とに沿う切断面を示している。ただし、これらの線Ｓ１，Ｓ５のそれぞれに沿う切断面の状態は、実質的に同じである。図５では、前後方向Ｚにおいて芯材４１から延出しているラッピングシート４２どうしがホットメルト接着剤ＨＡを介して接合し、表面シート４３と裏面シート４４とがそれらと重なり合うラッピングシート４２に対してホットメルト接着剤（図示せず）を介して接合している。裏面シート４４と、中央外装シート１８と、前方外装シート１６または後方外装シート１７とは、重なり合うものどうしがホットメルト接着剤（図示せず）を介して互いに接合している。また、防漏カフ部３２の遠位縁部３４は、表面シート４３に重なりホットメルト接着剤（図示せず）を介してその表面シート４３に接合している。
【００２６】
図６は、図２の線Ｓ０に沿う体液吸収部３１の切断面を示す図であり、線Ｓ０は図２の中心線Ｐに一致している。体液吸収部３１では、ラッピングシート４２とカバーシート４５と表面シート４３とが芯材４１から延出して、互いに重なり合うものどうしがホットメルト接着剤ＨＡを介して接合している。表面シート４３と裏面シート４４とはラッピングシート４２から延出する部分において重なり合い、ホットメルト接着剤（図示せず）を介して互いに接合している。互いに接合している中央外装シート１８と前方外装シート１６、および互いに接合している中央外装シート１８と後方外装シート１７は、裏面シート４４から延出している。前方外装シート１６が中央外装シート１８から延出する部分１６ａと後方外装シート１７が中央外装シート１８から延出する部分１７ａとは、中央外装シート１８の縁部に沿って折り返されて中央外装シート１８と体液吸収部３１とに重なるとともにホットメルト接着剤（図示せず）を介して接合されている。前方外装シート１６と後方外装シート１７とは、そのように折り返されることによっておむつ１０の胴回り開口１２の頂縁部３ａ，４ａを形成している（図１参照）。重なり合う中央外装シート１８と前方外装シート１６との間、および重なり合う中央外装シート１８と後方外装シート１７との間には、胴回り弾性部材２１，２２が介在している。
【００２７】
図７は、芯材４１とラッピングシート４２とから体液吸収部３１を形成する手順を示す図である。図７の（ａ）には、砂時計型の芯材４１と、矩形のラッピングシート４２とが示されている。芯材４１は、胴回り被覆部材１の股下部５に位置する部分４１ｄの幅が狭く、前胴回り部６と後胴回り部７とに位置する部分は幅が広くなるように翼部５１が形成されている。ラッピングシート４２には、芯材４１の下面４１ｂ（図３参照）と接触する部位が仮想線５２で示されている。また、ホットメルト接着剤ＨＡの塗布されている部位が多数のドット５３によって示されている。ラッピングシート４２にはまた、ホットメルト接着剤ＨＡの塗布されることのない非塗布部位５４が形成されている。芯材４１とラッピングシート４２とは、中心線Ｐに関して対称なものである。
【００２８】
図の（ｂ）には、芯材４１をラッピングシート４２で被覆することにより形成された体液吸収部３１が示され、その体液吸収部３１には、中心線Ｐ上においてラッピングシート４２に重ねられるカバーシート４５の位置が仮想線で示されている。（ａ）において芯材４１がラッピングシート４２に載せられて、ラッピングシートの両側部分が芯材４１の内面４１ａに重ねられることによって（ｂ）の体液吸収部３１が得られる。体液吸収部３１における芯材４１では、図３，４に示されているように、ラッピングシート４２における非塗布域５４と重なる部分がラッピングシート４２に対して接合することのない両側部分４６（図３参照）となる。両側部分４６には、股下部５に位置する部分４１ｄにおける側方部分と、翼部５１とが含まれている。体液吸収部３１では、芯材４１の外面４１ｂがホットメルト接着剤ＨＡによってラッピングシート４２に固定されていることに加え、芯材４１の周縁に対してはラッピングシート４２やホットメルト接着剤ＨＡを介して互いに接合しているラッピングシート４２が密着しているから、芯材４１は体液吸収部３１の内部において横方向Ｘや前後方向Ｚに動くことがない。
【００２９】
芯材４１はまた、外面４１ｂの全体がラッピングシート４２に接合していることに加えて、内面４１ａは横方向Ｘの中央部分がホットメルト接着剤ＨＡを介してラッピングシート４２に接合していることによっても、横方向Ｘや前後方向Ｚに動くことがなく、芯材４１は型崩れしにくいものになる。それゆえ、おむつ１０では、芯材４１の型崩れによって股下部材２がおむつ１０が着用者の肌部にフィットし難くなるということがない。一方、芯材４１は、側部４６における内面４１ａがラッピングシート４２に対して非接合状態にあることによって、ラッピングシート４２を介しての体液の速やかな吸収がホットメルト接着剤によって妨げられるということがない。さらにはまた、その側部４６における内面４１ａでは、芯材４１の厚さ方向や横方向Ｘ、前後方向Ｚへの高吸水性ポリマー粒子の動きがホットメルト接着剤によって妨げられるということがないので、吸水に伴う高吸水性ポリマー粒子の膨潤がホットメルト接着剤によって妨げられるということもなく、高吸水性ポリマー粒子の吸水能力の発揮が容易になる。
【００３０】
図８，９は、実施態様の一例を示す体液吸収部３１の部分破断平面図と、その平面図におけるＩＸ−ＩＸ線断面図である。図示例の体液吸収部３１には、芯材４１とラッピングシート４２とに対して複数の圧搾条溝６１が形成されていて、その圧搾条溝６１がカバーシート４５によって覆われている。圧搾条溝６１は、芯材４１とラッピングシート４２とが芯材４１の内面４１ａから外面４１ｂへ向かう方向へ局部的に圧搾されることで形成されている。圧搾条溝６１の底部６１ａでは粉砕パルプ等の吸水性材料が圧縮された状態にあり、底部６１ａにおける芯材４１の密度は圧搾条溝６１の周辺域における芯材４１の密度よりも高くなっている。好ましい圧搾条溝６１は、ホットメルト接着剤ＨＡを介して芯材４１とラッピングシート４２とが接合している部位において、中心線Ｐに関して対称となるように形成される。また、圧搾条溝６１は、胴回り被覆部材１における前胴回り部３と後胴回り部４との間の股下部５において形成されることが好ましい。さらにはまた、圧搾条溝６１が一対だけ形成される場合には、その圧搾条溝は股下部５の前方部分に形成されていることが好ましい。おむつ１０が男性用のものである場合において、股下部５の前方部分に形成される一対の圧搾条溝６１は、それらの間に男性器が納まるようにおむつ１０が着用されると、股下部材２が身体によくフィットして、おむつ１０が着用感のよいものになる。体液吸収部３１におけるカバーシート４５は、粉砕パルプや高吸水性ポリマー粒子等の吸水性材料がラッピングシート４２やラッピングシート４２の破れ目から漏れ出して肌に接触するという問題の発生を防ぐことができる。
【００３１】
以上に記載したこの発明に関する開示は、少なくとも下記事項に整理することができる。
【００３２】
前胴回り部と後胴回り部と股下部とのうちの少なくとも前記前胴回り部と前記後胴回り部とを形成していて環状を呈することが可能な胴回り被覆部材と、前記前胴回り部と前記後胴回り部との間に延びていて前記胴回り被覆部材の内面に接合する前端部分と後端部分とを有するとともに体液吸収性の吸収体を含んでいて前記股下部を形成する股下部材とを備えた使い捨てのパンツ型おむつであって、
前記股下部材は、前記前端部分と前記後端部分との間に延びる長さ方向と、前記長さ方向に直交する幅方向とを有し、前記吸収体が少なくとも粉砕パルプと高吸水性ポリマー粒子とを含む吸水性材料の集合体である芯材を透水性のラッピングシートで被覆することにより形成されており、
前記集合体は、前記胴回り被覆部材の前記内面と向かい合う外面の全体がホットメルト接着剤を介して前記ラッピングシートに接合する一方、前記外面の反対面である前記集合体の内面は前記ラッピングシートに対する接合域と非接合域とを有し、前記接合域は前記集合体における前記幅方向の中央部分において前記長さ方向へ延びており、前記非接合域は、前記幅方向において前記接合域の両側に位置していることを特徴とする前記おむつ。
【００３３】
上記事項として整理されたこの発明に係る使い捨てのパンツ型おむつは、少なくとも下記の実施形態を含み、その実施形態は、分離または互いに組み合わせて採択することができる。
（１）前記ラッピングシートは、前記集合体の前記外面を被覆している前記ラッピングシートが前記集合体から前記幅方向へ延出する部分を折り返すことによって前記集合体の前記内面を被覆しているものであって、前記内面における前記中央部分において、折り返した前記ラッピングシートどうしが重なり合い、ホットメルト接着剤を介して互いに接合している。
（２）前記集合体は、平面形状が砂時計型のものであって、前記前端部分と前記後端部分とには前記幅方向の両側に広がる翼部が形成され、前記翼部における前記内面が前記非接合域の一部分を形成している。
（３）前記吸収体では、前記幅方向において対向して前記長さ方向へ延びていて、前記内面から前記外面に向かって深くなる少なくとも一対の圧搾条溝が形成され、前記圧搾条溝が前記接合域に位置している。
【符号の説明】
【００３４】
１    胴回り被覆部材
２    股下部材
３    前胴回り部
４    後胴回り部
５    股下部
１０    使い捨てのパンツ型おむつ
２６    前端部分
２７    後端部分
３１    体液吸収部
４１    芯材、集合体
４１ａ  内面
４１ｂ  外面
４２    ラッピングシート
６１    圧搾条溝
ＨＡ    ホットメルト接着剤
【図１】
2016034595.tif 000003
【図２】
2016034595.tif 000004
【図３】
2016034595.tif 000005
【図４】
2016034595.tif 000006
【図５】
2016034595.tif 000007
【図６】
2016034595.tif 000008
【図７】
2016034595.tif 000009
【図８】
2016034595.tif 000010
【図９】
2016034595.tif 000011
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
前胴回り部と後胴回り部と股下部とのうちの少なくとも前記前胴回り部と前記後胴回り部とを形成していて環状を呈することが可能な胴回り被覆部材と、前記前胴回り部と前記後胴回り部との間に延びていて前記胴回り被覆部材の内面に接合する前端部分と後端部分とを有するとともに体液吸収性の吸収体を含んでいて前記股下部を形成する股下部材とを備えた使い捨てのパンツ型おむつであって、
前記股下部材は、前記前端部分と前記後端部分との間に延びる長さ方向と、前記長さ方向に直交する幅方向とを有し、前記吸収体が少なくとも粉砕パルプと高吸水性ポリマー粒子とを含む吸水性材料の集合体である芯材を透水性のラッピングシートで被覆することにより形成されており、
前記集合体は、前記胴回り被覆部材の前記内面と向かい合う外面の全体が前記ラッピングシートに接合される一方、前記外面の反対面である前記集合体の内面は前記ラッピングシートに対する接合域と非接合域とを有し、前記接合域は前記集合体における前記幅方向の中央部分において前記長さ方向へ延びており、前記非接合域は、前記幅方向において前記接合域の両側に位置していることを特徴とする前記おむつ。
【請求項２】
前記ラッピングシートは、前記集合体の前記外面を被覆している前記ラッピングシートが前記集合体から前記幅方向へ延出する部分を折り返すことによって前記集合体の前記内面を被覆しているものであって、前記内面における前記中央部分において、折り返した前記ラッピングシートどうしが重なり合い、互いに接合されている請求項１記載のおむつ。
【請求項３】
前記集合体は、平面形状が砂時計型のものであって、前記前端部分と前記後端部分とには前記幅方向の両側に広がる翼部が形成され、前記翼部における前記内面が前記非接合域の一部分を形成している請求項１または２記載のおむつ。
【請求項４】
前記吸収体では、前記幅方向において対向して前記長さ方向へ延びていて、前記内面から前記外面に向かって深くなる少なくとも一対の条溝が形成され、前記条溝が前記接合域に位置している請求項１−３のいずれかに記載のおむつ。
【手続補正２】
【補正対象書類名】明細書
【補正対象項目名】０００８
【補正方法】変更
【補正の内容】
【０００８】
このおむつにおいて、本発明が特徴とするところは、以下のとおりである。前記股下部材は、前記前端部と前記後端部との間に延びる長さ方向と、前記長さ方向に直交する幅方向とを有し、前記吸収体が少なくとも粉砕パルプと高吸水性ポリマー粒子とを含む吸水性材料の集合体である芯材を透水性のラッピングシートで被覆することにより形成されている。前記集合体は、前記胴回り被覆部材の前記内面と向かい合う外面の全体が前記ラッピングシートに接合される一方、前記外面の反対面である前記集合体の内面は前記ラッピングシートに対する接合域と非接合域とを有し、前記接合域は前記集合体における前記幅方向の中央部分において前記長さ方向へ延びており、前記非接合域は、前記幅方向において前記接合域の両側に位置している。
【手続補正３】
【補正対象書類名】明細書
【補正対象項目名】００３０
【補正方法】変更
【補正の内容】
【００３０】
図８，９は、実施態様の一例を示す体液吸収部３１の部分破断平面図と、その平面図におけるＩＸ−ＩＸ線断面図である。図示例の体液吸収部３１には、芯材４１とラッピングシート４２とに対して複数の条溝６１が形成されていて、その条溝６１がカバーシート４５によって覆われている。条溝６１は、芯材４１とラッピングシート４２とが芯材４１の内面４１ａから外面４１ｂへ向かう方向へ局部的に圧搾されることで形成されている。条溝６１の底部６１ａでは粉砕パルプ等の吸水性材料が圧縮された状態にあり、底部６１ａにおける芯材４１の密度は条溝６１の周辺域における芯材４１の密度よりも高くなっている。好ましい条溝６１は、ホットメルト接着剤ＨＡを介して芯材４１とラッピングシート４２とが接合している部位において、中心線Ｐに関して対称となるように形成される。また、条溝６１は、胴回り被覆部材１における前胴回り部３と後胴回り部４との間の股下部５において形成されることが好ましい。さらにはまた、条溝６１が一対だけ形成される場合には、その条溝は股下部５の前方部分に形成されていることが好ましい。おむつ１０が男性用のものである場合において、股下部５の前方部分に形成される一対の条溝６１は、それらの間に男性器が納まるようにおむつ１０が着用されると、股下部材２が身体によくフィットして、おむつ１０が着用感のよいものになる。体液吸収部３１におけるカバーシート４５は、粉砕パルプや高吸水性ポリマー粒子等の吸水性材料がラッピングシート４２やラッピングシート４２の破れ目から漏れ出して肌に接触するという問題の発生を防ぐことができる。
【手続補正４】
【補正対象書類名】明細書
【補正対象項目名】００３２
【補正方法】変更
【補正の内容】
【００３２】
前胴回り部と後胴回り部と股下部とのうちの少なくとも前記前胴回り部と前記後胴回り部とを形成していて環状を呈することが可能な胴回り被覆部材と、前記前胴回り部と前記後胴回り部との間に延びていて前記胴回り被覆部材の内面に接合する前端部分と後端部分とを有するとともに体液吸収性の吸収体を含んでいて前記股下部を形成する股下部材とを備えた使い捨てのパンツ型おむつであって、
前記股下部材は、前記前端部分と前記後端部分との間に延びる長さ方向と、前記長さ方向に直交する幅方向とを有し、前記吸収体が少なくとも粉砕パルプと高吸水性ポリマー粒子とを含む吸水性材料の集合体である芯材を透水性のラッピングシートで被覆することにより形成されており、
前記集合体は、前記胴回り被覆部材の前記内面と向かい合う外面の全体が前記ラッピングシートに接合される一方、前記外面の反対面である前記集合体の内面は前記ラッピングシートに対する接合域と非接合域とを有し、前記接合域は前記集合体における前記幅方向の中央部分において前記長さ方向へ延びており、前記非接合域は、前記幅方向において前記接合域の両側に位置している。
【手続補正５】
【補正対象書類名】明細書
【補正対象項目名】００３３
【補正方法】変更
【補正の内容】
【００３３】
上記事項として整理されたこの発明に係る使い捨てのパンツ型おむつは、少なくとも下記の実施形態を含み、その実施形態は、分離または互いに組み合わせて採択することができる。
（１）前記ラッピングシートは、前記集合体の前記外面を被覆している前記ラッピングシートが前記集合体から前記幅方向へ延出する部分を折り返すことによって前記集合体の前記内面を被覆しているものであって、前記内面における前記中央部分において、折り返した前記ラッピングシートどうしが重なり合い、互いに接合されている。
（２）前記集合体は、平面形状が砂時計型のものであって、前記前端部分と前記後端部分とには前記幅方向の両側に広がる翼部が形成され、前記翼部における前記内面が前記非接合域の一部分を形成している。
（３）前記吸収体では、前記幅方向において対向して前記長さ方向へ延びていて、前記内面から前記外面に向かって深くなる少なくとも一対の条溝が形成され、前記条溝が前記接合域に位置している。
【手続補正６】
【補正対象書類名】明細書
【補正対象項目名】００３４
【補正方法】変更
【補正の内容】
【００３４】
１    胴回り被覆部材
２    股下部材
３    前胴回り部
４    後胴回り部
５    股下部
１０    使い捨てのパンツ型おむつ
２６    前端部分
２７    後端部分
３１    体液吸収部
４１    芯材、集合体
４１ａ  内面
４１ｂ  外面
４２    ラッピングシート
６１    条溝
ＨＡ    ホットメルト接着剤